【手続補正書】
【提出日】平成22年10月15日(2010.10.15)
【手続補正１】
【補正対象書類名】特許請求の範囲
【補正対象項目名】全文
【補正方法】変更
【補正の内容】
【特許請求の範囲】
【請求項１】
ディスプレイ装置上に、メディアコンテンツを提示する際に格納されているメディアコンテンツの現在の再生位置および可用性を表すユーザーインターフェースをレンダリングするための、コンピューターシステムで実行する方法であって、
前記ユーザーインターフェースに、前記メディアコンテンツのタイムスロットの持続時間を示すバッファコンテナをレンダリングするステップと、
前記バッファコンテナ内に、利用可能な格納されているメディアコンテンツの量を示すバッファバーをレンダリングするステップであって、前記バッファバーは、前記バッファバー内に第１の視覚要素、および前記第１の視覚要素から視覚的に区別可能な第２の視覚要素を備える、ステップと、
現在の再生位置の前方にある利用可能な格納されているメディアコンテンツを視覚的に区別する第１の色またはパターンで、前記バッファバーの前記第１の視覚要素をレンダリングするステップと、
前記現在の再生位置の後にある利用可能な格納されているメディアコンテンツを視覚的に区別する第２の色またはパターンで、前記バッファバーの前記第２の視覚要素をレンダリングするステップと、
対比色または対照的なパターンでレンダリングされている前記第１の視覚要素および前記第２の視覚要素の隣り合った末端を接合するステップであって、
前記第１の色またはパターンでレンダリングされている前記第１の視覚要素の左端が、前記第２の色またはパターンでレンダリングされている前記第２の視覚要素の右端に接合し、前記現在の再生位置を表すインターフェースを定義し、
前記現在の再生位置を表すインターフェースの移動は、前記タイムスロットの持続時間の割合として、所定のピクセル増分までインクリメントまたはデクリメントするように制限され、前記第１の視覚要素の左端の前記第１の色またはパターンと前記第２の視覚要素の右端の前記第２の色またはパターンとの間のちらつき効果を回避し、
前記タイムスロットの持続時間に対する経過再生時間に基づいて、前記第１の視覚要素の左端および前記第２の視覚要素の右端を前記所定のピクセル増分に合わせる、
ステップと、
前記現在の再生位置が再生または入力制御に応じて前進するにつれ、前記バッファバー内で前記第１の視覚要素のサイズを縮小し、前記バッファバー内で前記第２の視覚要素のサイズを拡大するステップと、
前記現在の再生位置が逆再生または入力制御に応じて後退するにつれ、前記バッファバー内で前記第２の視覚要素のサイズを縮小し、前記バッファバー内で前記第１の視覚要素のサイズを拡大するステップと
を含むことを特徴とする方法。
【請求項２】
前記バッファコンテナに隣接し、前記現在の再生位置および前記メディアコンテンツの前記経過再生時間を示す位置インジケーターをレンダリングするステップをさらに含むことを特徴とする請求項１に記載の方法。
【請求項３】
前記位置インジケーターは、再生速度インジケーターを備えることを特徴とする請求項２に記載の方法。
【請求項４】
前記バッファコンテナに対する背景としてメディア状態バーをレンダリングするステップをさらに含むことを特徴とする請求項１に記載の方法。
【請求項５】
前記メディア状態バーは、実時間を示す時計を含むことを特徴とする請求項４に記載の方法。
【請求項６】
前記現在の再生位置が、現在のタイムスロット内であるかどうかを判定するステップであって、
前記経過再生時間およびバッファオフセットの和を計算するステップであって、前記バッファオフセットは、前のタイムスロットまたは後のタイムスロットの格納されているメディアコンテンツに対応する、ステップと、
前記バッファオフセットが前のタイムスロットの格納されているメディアコンテンツに対応するとき、前記和がゼロ以上の場合に前記現在の再生位置が前記タイムスロット内であるかどうか判定するステップと、
前記バッファオフセットが後のタイムスロットの格納されているメディアコンテンツに対応するとき、前記和がゼロ未満の場合に前記現在の再生位置が前記タイムスロット内であるかどうか判定するステップと
を含む、ステップと、
前記現在の再生位置が前記タイムスロット内である場合に、前記バッファオフセットを隠すステップと、
前記現在の再生位置が前記タイムスロット内でない場合に、前記メディア状態バーを再構成して隣接する番組タイムスロットを表し、および前記第１の視覚要素および前記第２の視覚要素を再構成して前記隣接する番組タイムスロット内の改訂された現在の再生位置を反映するステップと
をさらに含むことを特徴とする請求項４に記載の方法。
【請求項７】
請求項１に記載の前記方法を実施するコンピューター処理を実行するためのコンピューター実行可能な命令を記録したことを特徴とするコンピューター読み取り可能な記録媒体。
【請求項８】
ディスプレイ装置上に、メディアコンテンツを提示する際に格納されているメディアコンテンツの現在の再生位置および可用性を表すユーザーインターフェースをレンダリングするための、コンピューターシステムで実行する方法であって、
前記ユーザーインターフェースに、基本視覚要素のメディア状態バーをレンダリングするステップと、
前記メディア状態バーに、前記メディアコンテンツのタイムスロットの持続時間を示すバッファコンテナをレンダリングするステップと、
メディア状態バーの上に層状に重ね合わされている、利用可能な格納されているメディアコンテンツの量を示すバッファバーをレンダリングするステップであって、前記バッファバーは、
現在の再生位置の後にある利用可能な格納されているメディアコンテンツを視覚的に区別する第１の色またはパターンでレンダリングされる過去コンテンツバーおよび
現在の再生位置の前方にある利用可能な格納されているメディアコンテンツを視覚的に区別するために、前記第１の色またはパターンと対照的な第２の色またはパターンでレンダリングされる、前記過去コンテンツバーから視覚的に区別可能な未来コンテンツバー
を含む、ステップと、
対比色または対照的なパターンでレンダリングされている前記未来コンテンツバーおよび前記過去コンテンツバーの隣り合った末端を接合するステップであって、
前記第１の色またはパターンでレンダリングされている前記過去コンテンツバーの右端が、前記第２の色またはパターンでレンダリングされている前記未来コンテンツバーの左端に接合し、前記現在の再生位置を表すインターフェースを定義し、
前記現在の再生位置を表すインターフェースの移動は、前記タイムスロットの持続時間の割合として、所定のピクセル増分までインクリメントまたはデクリメントするように制限され、前記過去コンテンツバーの右端の前記第１の色またはパターンと前記未来コンテンツバーの左端の前記第２の色またはパターンとの間のちらつき効果を回避し、
前記タイムスロットの持続時間に対する経過再生時間に基づいて、前記過去コンテンツバーの右端および前記未来コンテンツバーの左端を前記所定のピクセル増分に合わせる、
ステップと、
前記現在の再生位置が逆再生または入力制御に応じて後退するにつれ、前記バッファバー内で前記過去コンテンツバーのサイズを縮小し、前記バッファバー内で前記未来コンテンツバーのサイズを拡大するステップと、
前記現在の再生位置が再生または入力制御に応じて前進するにつれ、前記バッファバー内で前記未来コンテンツバーのサイズを縮小し、前記バッファバー内で前記過去コンテンツバーのサイズを拡大するステップと、
前記メディア状態バーに隣接し、前記バーインターフェースと動的に連携する位置インジケーター視覚要素をレンダリングするステップと
を含むことを特徴とする方法。
【請求項９】
前記位置インジケーター視覚要素は、さらに、再生速度インジケーターを備えることを特徴とする請求項８に記載の方法。
【請求項１０】
前記位置インジケーター視覚要素は、さらに、前記メディアコンテンツの前記経過再生時間インジケーターを備えることを特徴とする請求項８に記載の方法。
【請求項１１】
前記位置インジケーター視覚要素は、さらに、バーインターフェースと直接連携するポインターメンバーを備えることを特徴とする請求項８に記載の方法。
【請求項１２】
前記バーインターフェースの位置を、ピクセルの行およびピクセルの列を１つおきにインクリメントまたはデクリメントするように制限するステップをさらに含むことを特徴とする請求項８に記載の方法。
【請求項１３】
前記バッファバーに対する背景および前記メディア状態バーに対する前景として、第３の色またはパターンで前記バッファコンテナをレンダリングするステップをさらに含むことを特徴とする請求項８に記載の方法。
【請求項１４】
前記ユーザーインターフェースは、前記メディア状態バー内に実時間を示す時計を含むことを特徴とする請求項１３に記載の方法。
【請求項１５】
前記現在の再生位置が、現在のタイムスロット内であるかどうかを判定するステップであって、
前記経過再生時間およびバッファオフセットの和を計算するステップであって、前記バッファオフセットは、前のタイムスロットまたは後のタイムスロットの格納されているメディアコンテンツに対応する、ステップと、
前記バッファオフセットが前のタイムスロットの格納されているメディアコンテンツに対応するとき、前記和がゼロ以上の場合に前記現在の再生位置が前記タイムスロット内であるかどうか判定するステップと、
前記バッファオフセットが後のタイムスロットの格納されているメディアコンテンツに対応するとき、前記和がゼロ未満の場合に前記現在の再生位置が前記タイムスロット内であるかどうか判定するステップと
を含む、ステップと、
前記現在の再生位置が前記タイムスロット内である場合に、前記バッファオフセットを隠すステップと、
前記現在の再生位置が前記タイムスロット内でない場合に、前記メディア状態バーを再構成して隣接する番組タイムスロットを表し、および前記バッファバーを再構成して前記隣接する番組タイムスロット内の改訂された現在の再生位置を反映するステップと
をさらに含むことを特徴とする請求項１４に記載の方法。
【請求項１６】
メディアコンテンツを提示する際に格納されているメディアコンテンツの現在の再生位置および可用性を表すユーザーインターフェースがレンダリングされたディスプレイ装置であって、前記ユーザーインターフェースは、
前記メディアコンテンツのタイムスロットの持続時間を示すバッファコンテナと、
前記バッファコンテナ内に、利用可能な格納されているメディアコンテンツの量を示すバッファバーと、
現在の再生位置の前方にある利用可能な格納されているメディアコンテンツを視覚的に区別する第１の色またはパターンでレンダリングされる、前記バッファバー内の第１の視覚要素と、
前記現在の再生位置の後にある利用可能な格納されているメディアコンテンツを視覚的に区別するために、前記第１の色またはパターンと対照的な第２の色またはパターンでレンダリングされる、前記第１の視覚要素から視覚的に区別可能な前記バッファバー内の第２の視覚要素と
を備え、
前記第１の色またはパターンでレンダリングされている前記第１の視覚要素の左端、および前記第２の色またはパターンでレンダリングされている前記第２の視覚要素の右端を接合して、前記現在の再生位置を表すインターフェースを定義し、
前記現在の再生位置を表すインターフェースの移動は、前記タイムスロットの持続時間の割合として、所定のピクセル増分までインクリメントまたはデクリメントするように制限され、前記第１の視覚要素の左端の前記第１の色またはパターンと前記第２の視覚要素の右端の前記第２の色またはパターンとの間のちらつき効果を回避し、
前記タイムスロットの持続時間に対する経過再生時間に基づいて、前記第１の視覚要素の左端および前記第２の視覚要素の右端を前記所定のピクセル増分に合わせ、
前記現在の再生位置が再生または入力制御に応じて前進するにつれ、前記バッファバー内で前記第１の視覚要素のサイズを縮小し、前記バッファバー内で前記第２の視覚要素のサイズを拡大し、
前記現在の再生位置が逆再生または入力制御に応じて後退するにつれ、前記バッファバー内で前記第２の視覚要素のサイズを縮小し、前記バッファバー内で前記第１の視覚要素のサイズを拡大することを特徴とするディスプレイ装置。
【請求項１７】
前記ユーザーインターフェースは、前記バッファコンテナに隣接し、前記現在の再生位置および前記メディアコンテンツの前記経過再生時間を示す位置インジケーターを備えることを特徴とする請求項１６に記載のディスプレイ装置。
【請求項１８】
前記位置インジケーターは、再生速度インジケーターを備えることを特徴とする請求項１７に記載のディスプレイ装置。
【請求項１９】
前記ユーザーインターフェースは、前記バッファコンテナに対する背景としてメディア状態バーを備えることを特徴とする請求項１７に記載のディスプレイ装置。
【請求項２０】
前記メディア状態バーは、実時間を示す時計を含むことを特徴とする請求項１９に記載のディスプレイ装置。